(57)【要約】【課題】ケーブルへの接触時やコネクタ挿抜時によじれや回転が発生しにくい分岐ケーブルを提供する。【解決手段】８心テープコード１１を８本の単心コード１２に分岐したファンアウトコード１の分岐部１０を直方体とする。これにより、分岐部１０を分岐部ホルダ２０に固定したときに、単心コード１２に接触した場合や単心コード１２の先端に取り付けられたコネクタ１３を抜き差しする場合に、分岐部１０が回転することを防ぎ、ケーブルのよじれや回転が発生を抑えることができる。【選択図】図１
2014179167.tif 000002
【特許請求の範囲】
【請求項１】
複数の心線をまとめたケーブルと、
前記ケーブルから分岐された複数の心線と、
前記ケーブルが前記複数の心線に分岐される部分を保護する分岐部と、を有し、
前記分岐部が平らな面を備えることを特徴とする分岐ケーブル。
【請求項２】
前記複数の心線の長さを前記分岐部から当該心線の接続先までの長さに応じて変えることを特徴とする請求項１記載の分岐ケーブル。
【請求項３】
前記分岐部の断面の形状は多角形であることを特徴とする請求項１又は２記載の分岐ケーブル。
【請求項４】
前記分岐部の断面の形状が四角であることを特徴とする請求項３記載の分岐ケーブル。
【請求項５】
前記分岐ケーブルは前記分岐部をホルダに挿入して固定されるものであって、当該ホルダは前記ケーブルを取り出す位置に対応させて前記分岐部を挿入する方向に入れられた切れ込みを備えており、
前記ケーブルは、前記分岐部の片側に寄せた位置から取り出されていることを特徴とする請求項４記載の分岐ケーブル。
【請求項６】
前記分岐ケーブルはホルダに挿入して固定されるものであって、
前記分岐部は、少なくとも１対の対向する面の形状あるいは大きさが互いに異なることを特徴とする請求項１又は２記載の分岐ケーブル。
【請求項７】
複数の心線をまとめたケーブルが複数の心線に分岐される部分を保護する分岐部を有する分岐ケーブルを収容するホルダであって、
前記ケーブルの取り出し位置及び前記分岐部の形状に合わせた前記分岐部を収容する空間を有すること
を特徴とするホルダ。
【発明の詳細な説明】
【技術分野】
【０００１】
本発明は、一本のケーブルを複数のケーブルに分岐した分岐ケーブルの技術に関する。
【背景技術】
【０００２】
従来、光ファイバ等の通信ケーブルは、局舎間や装置間等においては、複数心線をまとめたケーブルで配線し、必要に応じてファンアウトコードと呼ばれる分岐ケーブルを用いて局舎内や加入者側装置等へに接続している。特許文献１は、多心光ファイバを複数の単心光ファイバに分岐するファンアウトコードを開示している。
【先行技術文献】
【特許文献】
【０００３】
【特許文献１】特開平１０−１７７１２３号公報
【発明の概要】
【発明が解決しようとする課題】
【０００４】
従来のファンアウトコード等の分岐ケーブルでは、分岐部分の被覆は円筒形であり、分岐側ケーブルに触れたり、分岐側ケーブルに取り付けられたコネクタの挿抜時に、分岐部分が回転して分岐部分からケーブルがよじれやすい状態であった。よじれや回転が起こることにより、コードの絡みや、心線に過度な負担がかかる等の問題があった。
【０００５】
本発明は、上記に鑑みてなされたものであり、ケーブルへの接触時やコネクタ挿抜時によじれや回転が発生しにくい分岐ケーブルを提供することを目的とする。
【課題を解決するための手段】
【０００６】
第１の本発明に係る分岐ケーブルは、複数の心線をまとめたケーブルと、前記ケーブルから分岐された複数の心線と、前記ケーブルが前記複数の心線に分岐される部分を保護する分岐部と、を有し、前記分岐部が平らな面を備えることを特徴とする。
【０００７】
上記分岐ケーブルにおいて、前記複数の心線の長さを前記分岐部から当該心線の接続先までの長さに応じて変えることを特徴とする。
【０００８】
上記分岐ケーブルにおいて、前記分岐部の断面の形状は多角形であることを特徴とする。
【０００９】
上記分岐ケーブルにおいて、前記分岐部の断面の形状が四角であることを特徴とする。
【００１０】
上記分岐ケーブルにおいて、前記分岐ケーブルは前記分岐部をホルダに挿入して固定されるものであって、当該ホルダは前記ケーブルを取り出す位置に対応させて前記分岐部を挿入する方向に入れられた切れ込みを備えており、前記ケーブルは、前記分岐部の片側に寄せた位置から取り出されていることを特徴とする。
【００１１】
上記分岐ケーブルにおいて、前記分岐ケーブルはホルダに挿入して固定されるものであって、前記分岐部は、少なくとも１対の対向する面の形状あるいは大きさが互いに異なることを特徴とする。
【００１２】
第２の本発明に係るホルダは、複数の心線をまとめたケーブルが複数の心線に分岐される部分を保護する分岐部を有する分岐ケーブルを収容するホルダであって、前記ケーブルの取り出し位置及び前記分岐部の形状に合わせた前記分岐部を収容する空間を有することを特徴とする。
【発明の効果】
【００１３】
本発明によれば、ケーブルへの接触時やコネクタ挿抜時によじれや回転が発生しにくい分岐ケーブルを提供することができる。
【図面の簡単な説明】
【００１４】
【図１】本実施の形態におけるファンアウトコードの構成を示す平面図である。
【図２】ファンアウトコードの分岐部の側面および正面図を示す。
【図３】本実施の形態におけるファンアウトコードを収納する成端盤の構成を示す図である。
【図４】本実施の形態におけるファンアウトコードの分岐部を固定する分岐部ホルダの構成を示す斜視図である。
【図５】分岐部を分岐部ホルダの形状に合わせて挿入する様子を示す図である。
【図６】スポンジで分岐部を押さえて固定した様子を示す図である。
【図７】分岐部の挿入方向を間違えないための他の実施例の構成を示す断面図である。
【図８】分岐部の挿入方向を間違えないための他の実施例の構成を示す平面図である。
【発明を実施するための形態】
【００１５】
以下、本発明の実施の形態について図面を用いて説明する。なお、ここでは分岐ケーブとしてファンアウトコードを例に説明する。
【００１６】
図１は、本実施の形態におけるファンアウトコードの構成を示す平面図である。
【００１７】
同図に示すファンアウトコード１は、コネクタ付き８心分岐コードであり、分岐部１０、８つの心線を平らなテープ状にまとめた８心テープコード１１、８本の単心コード１２、および単心コード１２の先端に取り付けられたコネクタ１３で構成される。
【００１８】
分岐部１０は、８心テープコード１１を単心コード１２に分岐する部分を保護もするとともに、後述する分岐部ホルダに固定される部位である。分岐部１０は、分岐部ホルダに固定された状態で、単心コード１２などへの接触により分岐部１０が回転しないように平らな面を備える。本実施の形態では、分岐部１０の断面を四角形としているが、多角形であってもよい。また、四角形、多角形の角は、転がらない程度に丸みがあってもよい。
【００１９】
図２に、分岐部１０の側面および正面図を示す。図２（ａ）は単心コード１２側からみた側面図、図２（ｂ）は分岐部１０の正面図、図２（ｃ）は８心テープコード１１側からみた側面図である。分岐部１０は、断面が四角で、幅が約５０ｍｍ、高さが約１０ｍｍ、奥行きが約７ｍｍの大きさの筒状の直方体である。本実施の形態では、断面がコの字の立体に蓋をして筒状の直方体としている。分岐部１０の内部で８心テープコード１１が単心コード１２に分岐されて、一方の端面から単心コード１２が取り出され、別の端面から８心テープコード１１が取り出される。８心テープコード１１の取り出し位置は、分岐部１０の片側（図２では下側）に寄せられている。
【００２０】
単心コード１２は、全てが同じ長さではなく、接続先のアダプタの位置に合わせて長さを変えている。本実施の形態では、８本の単心コード１２のうちの４本を長く、残りの４本を短くしている。長い単心コード１２は約２７５ｍｍ、短い単心コード１２は約２４５ｍｍの長さである。
【００２１】
次に、本実施の形態におけるファンアウトコードを収納する成端盤について説明する。
【００２２】
図３は、本実施の形態におけるファンアウトコードを収納する成端盤の構成を示す図であり、図３（ａ）は成端盤を架に収納した状態での上面図、図３（ｂ）は側面図である。同図に示す成端盤２は、アダプタ２２を配置したアダプタパネル２Ａ、ファンアウトコード１の分岐部１０を固定する分岐部ホルダ２０を配置したコード保持部２Ｂ、およびクランプ２３を備えて８心テープコード１１を収納するコード収納部２Ｃで構成される。
【００２３】
成端盤２に入れられたファンアウトコード１の８心テープコード１１部分をコード収納部２Ｃに収納し、分岐部１０を分岐部ホルダ２０に固定して、単心コード１２の先端に取り付けられたコネクタ１３をアダプタ２２に接続する。
【００２４】
図３（ａ）に示すように、成端盤２には１０個の分岐部ホルダ２０が配置され、ファンアウトコード１を１０本収納することができる。分岐部１０を分岐部ホルダ２０に挿入して固定する。図３（ｂ）に示すように、分岐部ホルダ２０を成端盤２に取り付けた土台２１上に配置し、分岐部１０が成端盤２内の奥行き方向の中央付近で固定されるようにする。なお、土台２１に分岐部ホルダ２０を固定するのではなく、土台２１に分岐部１０を固定する溝を設けて分岐部ホルダを形成してもよい。
【００２５】
アダプタパネル２Ａには、奥行き方向に８個並べた１０組みのアダプタ２２が配置される。アダプタパネル２Ａは、奥に配置されたアダプタ２２にアクセスしやすいように、奥が高くて手前が低い段差を有している。
【００２６】
分岐部ホルダ２０とアダプタ２２との間には、多数の単心コード１２が配置される。単心コード１２が長すぎる場合は、余り部分が絡まったり、作業の際にひっかかったりする原因となる。また、単心コード１２が短すぎる場合は、常にケーブルが緊張状態となり、コネクタ１３が外れたり、ケーブル断につながりやすくなる。そこで、単心コード１２は、分岐部ホルダ２０からアダプタ２２までの長さに応じて、輪取りせず且つ曲率半径を維持した状態でコネクタ１３をアダプタ２２に接続できる長さとする。また、アダプタパネル２Ａが段差を有しているので、奥のアダプタ２２に接続する単心コード１２の長さを短く、手前のアダプタ２２に接続する単心コード１２の長さを長くしている。
【００２７】
次に、本実施の形態におけるファンアウトコードの分岐部を固定する分岐部ホルダについて説明する。
【００２８】
図４は、本実施の形態におけるファンアウトコードの分岐部を固定する分岐部ホルダの構成を示す斜視図である。
【００２９】
分岐部ホルダ２０は、内寸幅が分岐部１０程度の大きさで分岐部１０を収納でき、分岐部１０を挿入する面２０Ａ、８心テープコード１１を取り出す面２０Ｂ、単心コード１２を取り出す面２０Ｃを備える。分岐部ホルダ２０は、分岐部１０を挿入する面２０Ａが図３（ａ）の手前側つまり図３（ｂ）の左側、８心テープコード１１を取り出す面２０Ｂが図３（ａ）の上側、単心コード１２を取り出す面２０Ｃが図３（ａ）の下側となるように成端盤２内に配置される。分岐部ホルダ２０を挿入する面２０Ａと単心コード１２を取り出す面２０Ｃは開放されており、８心テープコード１１を取り出す面２０Ｂは一部に切れ込みが入れられている。８心テープコード１１および単心コード１２が接触する分岐部ホルダ２０の角は、ケーブルが傷つかないようにＲ加工が施されている。また、８心テープコード１１および単心コード１２を長手方向に引っ張っても分岐部１０が分岐部ホルダ２０から抜けないようにツメが設けられている。
【００３０】
図５に示すように、分岐部１０を分岐部ホルダ２０の形状に合わせて挿入する。８心テープコード１１の取り出し位置が分岐部１０の片側に寄せられ、分岐部ホルダ２０の一部にのみ切れ込みが入れられているので、分岐部１０の挿入方向を間違えた場合は、切れ込みと８心テープコード１１の取り出し位置が合わなくなり、分岐部１０を分岐部ホルダ２０に挿入できなくなっている。
【００３１】
図６に示すように、分岐部１０を分岐部ホルダ２０に挿入した後は、分岐部１０が分岐部ホルダ２０内に固定されるように、分岐部ホルダ２０にスポンジ３０を挿入して分岐部１０を押さえる。押さえとして、分岐部ホルダ２０の内寸程度の大きさの弾力性のある直方体のスポンジ３０を用いる。なお、スポンジ３０などの弾力部材を押さえとして用いる代わりに、分岐部１０が浮き上がらないように分岐部ホルダ２０の内壁に戻り防止のフックを取り付けてもよいし、分岐部１０と分岐部ホルダ２０の内壁との摩擦が大きくなる素材を用いてもよいし、分岐部１０を挿入する方向では摩擦が小さく浮き上がる方向では摩擦が大きくなるような素材を用いてよい。あるいは、成端盤２に配置された全ての分岐部ホルダ２０内の分岐部１０を同時に固定するように、成端盤２の幅の大きさの留め具を用いてもよい。
【００３２】
次に、分岐部１０の挿入方向を間違えないための他の実施例について説明する。
【００３３】
図７は、分岐部１０の挿入方向を間違えないための他の実施例の構成を示す分岐部１０と分岐部ホルダ２０の断面図である。
【００３４】
図７（ａ）に示す例は、分岐部１０の図７（ａ）の上面側から分岐部ホルダ２０に挿入できないように、分岐部１０の挿入面に対向する対向面を大きくした実施例である。
【００３５】
図７（ｂ）に示す例は、分岐部１０の断面を挿入面が短辺、対向面が長辺となる台形とし、分岐部ホルダ２０の内壁も同様の台形とした実施例である。
【００３６】
図７（ｃ）に示す例は、分岐部１０の挿入面に対向する対向面に分岐部ホルダ２０の側壁を保持するツメを備え、分岐部１０を対向面から挿入できないようにするとともに、分岐部１０を分岐部ホルダ２０に挿入した際に、分岐部１０のツメが分岐部ホルダ２０の側壁を保持して分岐部１０を分岐部ホルダ２０に固定する実施例である。
【００３７】
また、図８に示す例は、図８（ａ）の平面図に示すように、分岐部１０に凸部を備えて分岐部１０の形状を非対称とし、図８（ｂ）の平面図に示すように、分岐部ホルダ２０の内壁の形状も分岐部１０の形状に合わせて非対称とした実施例である。
【００３８】
あるいは、分岐部１０の挿入面と対向面を互いに異なる色で着色し、分岐部１０を分岐部ホルダ２０に挿入する際に、挿入方向が間違っていることが直ぐに分かるようにしてもよい。例えば、分岐部１０の対向面を分岐部ホルダ２０の色と同じ色にしておく。
【００３９】
以上説明したように、本実施の形態によれば、８心テープコード１１を８本の単心コード１２に分岐したファンアウトコード１の分岐部１０を直方体とすることにより、分岐部１０を分岐部ホルダ２０に固定したときに、単心コード１２に接触した場合や単心コード１２の先端に取り付けられたコネクタ１３を抜き差しする場合に、分岐部１０が回転することを防ぎ、ケーブルのよじれや回転が発生を抑えることができる。分岐部１０を断面がコの字の立体に蓋をして筒状の直方体とすることで、作りがシンプルとなり、省スペース化、コストの低減を図ることができる。
【００４０】
本実施の形態によれば、８心テープコード１１の取り出し位置を分岐部１０の片側に寄せ、分岐部ホルダ２０の８心テープコード１１を取り出す面の一部に切れ込みを入れることで、分岐部１０を分岐部ホルダ２０に取り付ける際に、取り付け方向を間違えることがなくなる。
【００４１】
なお、上記では、８心テープコード１１について説明したが、これに限るものではなく、４心でもよいし、それ以外の本数でもよい。また、分岐ケーブルであれば、光ケーブルでなくても適用できる。単心コード１２の長さも実際の設置に合わせて変更される。また、成端盤２の大きさや、収納可能なファンアウトコード１の本数も実際の設置に合わせて適宜変更される。成端盤２も架に収納する場合に限られない。
【符号の説明】
【００４２】
１…ファンアウトコード
１０…分岐部
１１…８心テープコード
１２…単心コード
１３…コネクタ
２…成端盤
２Ａ…アダプタパネル
２Ｂ…コード保持部
２Ｃ…コード収納部
２０…分岐部ホルダ
２０Ａ…分岐部を挿入する面
２０Ｂ…８心テープコードを取り出す面
２０Ｃ…単心コードを取り出す面
２１…土台
２２…アダプタ
２３…クランプ
３０…スポンジ
【図１】
2014179167.tif 000003
【図２】
2014179167.tif 000004
【図３】
2014179167.tif 000005
【図４】
2014179167.tif 000006
【図５】
2014179167.tif 000007
【図６】
2014179167.tif 000008
【図７】
2014179167.tif 000009
【図８】
2014179167.tif 000010